(57)【要約】【目的】  デコーダ自体の構成を特に改変することなく複数のディジタル放送の複数画面表示処理を行う。【構成】  ＢＳを選局している状態で２画面指令を受けたとき、チューナ２Ｂから出力されるＴＳをメモリ１４（メモリＢ）に格納する。チューナ２Ａから出力されるＢＳ−ＴＳについてのデコード状態は維持され、デコード映像音声はメモリ１４（メモリＣ）に格納される。所定時間後、ＢＳディジタルのデコードを停止し、ＢＳディジタルチューナ２Ａから出力されるＢＳ−ＴＳをメモリ１４（メモリＡ）に格納する。このＢＳ−ＴＳをメモリＡに格納している間、メモリＢから地上ＴＳを読み出してデコードを行わせ、デコード映像をメモリ１４（メモリＤ）に格納する。メモリＣに格納されているＢＳのデコード映像が全て読み出される前に、デコーダ３は２倍速処理状態に遷移する。デコーダ３はメモリＡとメモリＢから倍速で交互にＴＳを読み出してデコードを行う。【選択図】          図１
2005323278.tif 000002
【特許請求の範囲】
【請求項１】
二以上のディジタル放送を同時受信できる複数のチューナと、前記チューナからのトランスポートストリームを一時的に記憶するＴＳ記憶手段と、前記ＴＳ記憶手段に格納された各チューナのトランスポートストリームを交互に読み出してデコードする一つのデコーダと、前記デコードにより得られた複数のディジタル放送の映像を合成して出力する複数画面映像出力手段と、を備えたことを特徴とするディジタル放送受信装置。
【請求項２】
請求項１に記載のディジタル放送受信装置において、複数画面表示指示がなされた当初のデコードされたデータを一時的にデータ記憶手段に記憶し、前記データ記憶手段にデータが或る程度蓄積された後に、他のディジタル放送のトランスポートストリームをＴＳ記憶手段から読み出してそのデコードを開始することを特徴とするディジタル放送受信装置。
【請求項３】
請求項２に記載のディジタル放送受信装置において、前記他のディジタル放送のトランスポートストリームをＴＳ記憶手段から読み出してそのデコードを開始したときのデータをデータ記憶手段に記憶し、このデータが或る程度蓄積された後に、前記当初のデコードされたデータ及び前記他のディジタル放送のデコードされたデータを前記データ記憶手段から読み出して複数画面映像の出力を開始することを特徴とするディジタル放送受信装置。
【請求項４】
請求項１乃至請求項３のいずれかに記載のディジタル放送受信装置において、複数画面映像の出力状態では、１画面映像の出力状態でのデコード処理よりも速いクロックでデコード処理を行うように構成されたことを特徴とするディジタル放送受信装置。
【請求項５】
請求項１乃至請求項４のいずれかに記載のディジタル放送受信装置において、前記チューナからのトランスポートストリームに替えて、分離手段にてトランスポートストリームを分離して得られるビデオストリーム及びオーディオストリームを一時的に記憶して前記デコーダに与えることを特徴とするディジタル放送受信装置。
【発明の詳細な説明】
【技術分野】
【０００１】
この発明は、ディジタル放送を受信するディジタル放送受信装置に関する。
【背景技術】
【０００２】
従来より、アナログ放送を受信する受信装置においては、いわゆるピクチャ・イン・ピクチャ（ＰｉｎＰ）等による２画面表示を可能としたものが知られている。更に、ディジタル放送において、このような２画面表示を可能とすべく、２チャンネル分のＭＰＥＧビデオストリームを単一のデコーダでデコードするものが提案されている（特許文献１参照）。
【特許文献１】特開２０００−２８７２１５号公報
【発明の開示】
【発明が解決しようとする課題】
【０００３】
しかしながら、上記従来の技術では、特別な構成のデコーダが必要になるという欠点がある。
【０００４】
この発明は、上記の事情に鑑み、デコーダ自体の構成を特に改変することなく複数のディジタル放送の複数画面表示処理が行えるディジタル放送受信装置を提供することを目的とする。  
【課題を解決するための手段】
【０００５】
この発明のディジタル放送受信装置は、上記の課題を解決するために、二以上のディジタル放送を同時受信できる複数のチューナと、前記チューナからのトランスポートストリームを一時的に記憶するＴＳ記憶手段と、前記ＴＳ記憶手段に格納された各チューナのトランスポートストリームを交互に読み出してデコードする一つのデコーダと、前記デコードにより得られた複数のディジタル放送の映像を合成して出力する複数画面映像出力手段と、を備えたことを特徴とする。
【０００６】
上記の構成であれば、前記デコーダにて一つのディジタル放送のデコードを行っている間は、他のディジタル放送についてトランスポートストリームを一時的にＴＳ記憶手段に記憶することとしており、デコーダ自体の構成を特に改変することなく複数のディジタル放送の複数画面表示処理が行える。
【０００７】
上記構成のディジタル放送受信装置において、複数画面表示指示がなされた当初のデコードされたデータを一時的にデータ記憶手段に記憶し、前記データ記憶手段にデータが或る程度蓄積された後に、他のディジタル放送のトランスポートストリームをＴＳ記憶手段から読み出してそのデコードを開始することとしてもよい。また、前記他のディジタル放送のトランスポートストリームをＴＳ記憶手段から読み出してそのデコードを開始したときのデータをデータ記憶手段に記憶し、このデータが或る程度蓄積された後に、前記当初のデコードされたデータ及び前記他のディジタル放送のデコードされたデータを前記データ記憶手段から読み出して複数画面映像の出力を開始することとしてもよい。
【０００８】
これら構成のディジタル放送受信装置において、複数画面映像の出力状態では、１画面映像の出力状態でのデコード処理よりも速いクロックでデコード処理を行うのがよい。また、これら構成のディジタル放送受信装置において、前記チューナからのトランスポートストリームに替えて、分離手段にてトランスポートストリームを分離して得られるビデオストリーム及びオーディオストリームを一時的に記憶して前記デコーダに与えることとしてもよい。
【発明の効果】
【０００９】
この発明によれば、デコーダ自体の構成を特に改変することなく複数のディジタル放送の複数画面表示処理が行えるという効果を奏する。
【発明を実施するための最良の形態】
【００１０】
以下、この発明の実施形態のディジタル放送受信装置を図１及び図２に基づいて説明する。
【００１１】
図１において、アンテナ１Ａ，１Ｂは、屋外において所定の方向に向けて配置されており、衛星や地上放送局から送られてくるディジタル放送信号を受信する。
【００１２】
ＢＳ／ＣＳディジタルチューナ２Ａ及び地上ディジタルチューナ２Ｂは、映像・音声データを含む高周波ディジタル変調信号のうちから特定周波数の信号を取り出す。また、チューナ２Ａ，２Ｂは、復調回路、逆インタリーブ回路、誤り訂正回路などを備えることにより、選択したディジタル変調信号を復調してトランスポート・ストリームを出力する。
【００１３】
ＭＰＥＧ−ＴＳデコーダ分離回路（以下、単にデコーダという）３は、前記トランスポートストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デコーダ３は、ビデオストリームとオーディオストリームを入力するＡＶデコーダ部を有する。また、前記ＰＳＩ／ＳＩ等をＣＰＵ１３に供給する。なお、前述のごとく、トランスポートストリームには複数のチャンネルが多重化されており、このなかから任意のチャンネルを選択するための処理は、前記ＰＳＩ／ＳＩから任意のチャンネルがトランスポートストリーム中でどのパケットＩＤで多重化されているかといったデータを取り出すことで可能となる。また、トランスポートストリームの選定もＰＳＩ／ＳＩの情報に基づいて行うことができる。
【００１４】
前記ＡＶデコーダ部はビデオストリームに対してデコードを行うビデオデコーダ、オーディオストリームに対してデコードを行うオーディオデコーダから成る。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。映像データは映像処理部４に出力され、音声データは音声処理部５に出力される。
【００１５】
映像処理部４は、受信映像の映像データを受け取ってＤ／Ａ変換を行い、例えばコンポジット映像信号に変換する。また、映像処理部４はＯＳＤ（オンスクリーンディスプレイ機能）を有し、ＣＰＵ１３から出力指示された文字情報や色情報に基づく映像を前記映像データに合成する。音声処理回路６は、デコーダ４から出力された音声データを受け取って右（Ｒ）音データ及び左（Ｌ）音データを生成する。
【００１６】
２画面回路６は、例えば、ピクチャ・イン・ピクチャ等の２画面合成技術によって二つの番組映像が合成された映像信号を生成する。２画面回路６を経た映像信号はアンプ７を経て切替スイッチ９に入力される。また、音声データはＤ／Ａ変換アンプ８を経てアナログ信号に変換されて切替スイッチ９に入力される。
【００１７】
切替スイッチ９はユーザ操作によって切り替わり、アナログ外部信号と受信信号とのいずれかを選択する。選択された映像信号は３次元Ｙ／Ｃ分離回路１０を経て映像出力部１１に入力され、選択された音声信号は音声出力部１２に入力される。映像出力部１１及び音声出力部１２は出力抵抗や増幅器等を備えて成る。映像出力部１１及び音声出力部１２には、図示しないＡＶ出力端子を介してモニタが接続される。
【００１８】
メモリ（ＲＡＭ、ＥＥＰＲＯＭ、フラッシュメモリ、ＲＯＭ等）１４には、チューナ２Ａ，２Ｂから出力されるトランスポートストリーム（以下、ＴＳという）やデコーダ３から出力されるデコードデータが格納される。
【００１９】
リモコン送信機１５は、当該放送受信装置３０に指令を送出するための送信機である。このリモコン送信機１５に設けられたキーを操作すると、そのキーに対応した指令を意味する信号光（リモコン信号）が図示しない発光部から送出される。選局ＣＰＵ１６は、前記リモコン送信機１５のキーが操作されたときに出力される信号光を受光し、これを電気信号に変換してコード解析を行い、チャンネル選局指令をＣＰＵ１３に与える。
【００２０】
次に、２画面指令がユーザによってなされたときの処理を説明していく。ここでは、ＢＳディジタル放送視聴時に２画面指令がなされ、ＢＳディジタル放送をメインとし、地上ディジタル放送を小画面（サブ）でピクチャ・イン・ピクチャ表示する例を挙げる。かかる処理の概略を図２に示している。
【００２１】
２画面指令を受けたとき、地上ディジタルチューナ２Ｂから出力されるＴＳをメモリ１４に格納する処理を開始する。図１でメモリＢに地上波ＴＳが格納されるイメージとなる。ＢＳ／ＣＳディジタルチューナ２Ａから出力されるＢＳ−ＴＳについてのデコード処理は維持され、デコード映像音声はメモリ１４に格納される。図１でメモリＣにＢＳディジタルのデコード映像音声が格納されるイメージとなる。
【００２２】
所定時間（例えば、ＢＳディジタルのデコード映像として数フレーム分の映像が格納された段階）の後、ＢＳディジタルのデコードを停止し、ＢＳディジタルチューナ２Ａから出力されるＢＳ−ＴＳをメモリ１４に格納する。図１でメモリＡにＢＳ−ＴＳが格納されるイメージとなる。このＢＳ−ＴＳをメモリＡに格納している間、図１のメモリＢから地上ＴＳを読み出してデコードを行わせ、デコード映像をメモリ１４に格納する。図１でメモリＤにデコード映像が格納されるイメージとなる。この実施形態では、小画面となる放送の音声は破棄する。また、小画面となる映像については、縮小処理を行ってメモリに格納している。
【００２３】
かかる時点では、ＢＳディジタル及び地上ディジタルの両方についてデコード映像がメモリ１４に格納された状態となる。また、メモリＡにおいてはＢＳ−ＴＳが蓄積される状態となり、メモリＢにおいては地上ＴＳの蓄積と読み出しが同時進行する状態となる。映像処理部４はメモリＣとメモリＤから読み出されたデコード映像を処理する。これら処理された両映像は、２画面回路６にて合成される。すなわち、２画面指令を受けてから幾分の時間を経て２画面映像表示がなされる。
【００２４】
前記メモリＣに格納されているＢＳディジタルのデコード映像が全て読み出される前に、デコーダ３は例えば２倍速（２倍クロック）処理状態に遷移する。デコーダ３は、この２倍速処理状態において、メモリＡとメモリＢから交互にＴＳを倍速で読み出してデコード処理を行う。デコードされたデコード映像（音声）はそれぞれメモリＣとメモリＤに格納される。また、メモリＣとメモリＤに格納されたデコード映像（音声）は映像処理部４及び音声処理部５にて処理される。上記２倍速処理状態においては、メモリＡ及びメモリＢの蓄積ＴＳ量は、増減を繰り返すことになる。
【００２５】
ＴＳ供給切替は、例えば１秒単位で切り替えるといった処理が考えられるが、情報として区切りの良い単位で切り替えるのが望ましい。例えば、フレーム単位やスーパーフレーム単位（８フレーム）で切り替えてもよい。また、メモリＡからＢＳディジタルにおける一つ分のＧＯＰ（グループ・オブ・ピクチャ）をデコーダ３に与えた後に、メモリＢから地上ディジタルにおける一つ分のＧＯＰ（グループ・オブ・ピクチャ）を与えるという具合に、交互に切り替えてもよい。また、上記実施形態では、前記チューナ２Ａ，２Ｂからのトランスポートストリームをメモリ１４に一時的に記憶することとしたが、これに限らず、分離回路にて分離されて得られるビデオストリーム及びオーディオストリームを一時的にメモリ１４に記憶してＡＶデコーダ部に与える構成としてもよいものである。
【図面の簡単な説明】
【００２６】
【図１】この発明の実施形態のディジタル放送受信装置を示したブロック図である。
【図２】２画面表示のための処理内容の概略を示した説明図である。
【符号の説明】
【００２７】
２Ａ    ＢＳ／ＣＳディジタルチューナ
２Ｂ    地上ディジタルチューナ
３      ＭＰＥＧ−ＴＳデコーダ分離回路
４      映像処理部
５      音声処理部
６      ２画面回路
１３    ＣＰＵ
１５    メモリ
【図１】
2005323278.tif 000003
【図２】
2005323278.tif 000004